(57)【要約】【課題】仮設機器の切り離し時に警報が発せられてしまうことがないようにする。【解決手段】ＬＡＮ２に接続する仮設機器のアドレスおよび常設／仮設の区別を含む機器情報を機器情報ファイルＦ１に書き込む。機器情報ファイルＦ１に書き込まれている機器情報に基づいて、常設機器、仮設機器のそれぞれについて、ＬＡＮ２からの切り離しを監視する。常設機器および仮設機器のうち常設機器についてのみ、ＬＡＮ２から切り離された場合、警報を発するようにする。なお、常設機器についてのみ、ＬＡＮ２からの切り離しを監視するようにしてもよい。【選択図】  図１
2005284821.tif 000002
【特許請求の範囲】
【請求項１】
ネットワークを介して設備を管理する設備管理システムにおいて、
前記ネットワークに接続される機器のアドレスと各機器が常時接続される常設機器および一時的に接続される仮設機器の何れであるかを示す属性情報とを含む機器情報が書き込まれた機器情報ファイルと、
前記機器情報ファイルに書き込まれている機器情報に基づいて、仮設機器を除く前記機器の前記ネットワークからの切り離しを監視する監視手段と
を備えたことを特徴とする設備管理システム。
【請求項２】
ネットワークを介して設備を管理する設備管理システムにおいて、
前記ネットワークに接続される機器のアドレスと各機器が常時接続される常設機器および一時的に接続される仮設機器の何れであるかを示す属性情報とを含む機器情報が書き込まれた機器情報ファイルと、
前記機器の前記ネットワークからの切り離しを監視する監視手段と、
前記機器情報ファイルに書き込まれている機器情報と前記監視手段による監視結果とに基づき、仮設機器を除く前記機器が前記ネットワークから切り離された場合に警報を発する警報手段と
を備えたことを特徴とする設備管理システム。
【請求項３】
請求項２に記載された設備管理システムにおいて、
前記監視手段による監視結果に基づき、前記仮設機器が前記ネットワークから切り離された場合、その仮設機器の機器情報を前記機器情報ファイルから削除する手段
を備えたことを特徴とする設備管理システム。
【請求項４】
請求項１〜３の何れか１項に記載された設備管理システムにおいて、
前記機器情報ファイルに書き込まれている機器情報の前記属性情報を変更可能とする手段を備えたことを特徴とする設備管理システム。
【請求項５】
請求項１〜４の何れか１項に記載された設備管理システムにおいて、
前記機器情報ファイルにその機器情報が書き込まれている前記機器を前記属性情報に基づいて視覚的に区別可能に表示する手段を備えたことを特徴とする設備管理システム。
【請求項６】
請求項１〜５の何れか１項に記載された設備管理システムにおいて、
前記ネットワークに仮設機器が接続された場合、この仮設機器からそのアドレスおよび属性情報を含む機器情報を読み取り、前記機器情報ファイルに書き込む手段を備えたことを特徴とする設備管理システム。
【発明の詳細な説明】
【技術分野】
【０００１】
この発明は、建物や産業システムなどの大規模設備を管理するために用いて好適な設備管理システムに関するものである。
【背景技術】
【０００２】
従来より、建物や産業システムなどの大規模設備においては、その設備を顧客に引き渡す前に設計どおりの性能を発揮できるか否かの検証を行っている。また、その設備を顧客に引き渡した後においても、運用を含めて設計どおりの性能を発揮できているか否かの検証を行っている。
【０００３】
〔設備管理システム〕
図６は大規模設備に設けられる設備管理システムの概略を示す図である。なお、この例では、大規模設備としてＮ階建てのビルを想定している。同図において、１−１〜１−ｍはビルの各所に分散して設けられたコントローラ、２はビル内に構築されたＬＡＮ（ローカルエリアネットワーク）、３はビルの監視室に設けられた中央監視装置、４ＡはＬＡＮ２に常時接続される常設機器（温度センサ、湿度センサ、熱量計、電力計など）である。コントローラ１−１〜１−ｍ、中央監視装置３、常設機器４ＡはＬＡＮ２を介して相互に接続されている。
【０００４】
〔設備の管理〕
コントローラ１−１〜１−ｍは、常設機器４Ａからのデータを所定周期で取り込み、最新のデータを例えば４８時間分蓄える。中央監視装置３は、コントローラ１−１〜１−ｍが蓄えている４８時間分のデータ（４８時間データ）のうち最新の２４時間分のデータ（２４時間データ）を毎日定時にまとめて取り込む。例えば、常設機器４Ａの１つである熱量計は、ポイントデータとして往水温度と還水温度と流量を計測し、この計測した往水温度と還水温度と流量から熱量を求める。この熱量が熱量計からのデータ（機器データ）としてコントローラ１を介して中央監視装置３へ送られる。中央監視装置３は、この送られてくる常設機器４Ａからのデータに基づき、設備の状態を管理する。
【０００５】
〔性能の検証〕
性能検証はこの設備管理システムの仕組みを利用して実施される。性能検証を実施する上で、既にＬＡＮ２に接続されている常設機器４Ａからのデータだけで性能検証を行うことができる場合もあれば、常設機器４Ａだけでは足りず、この性能検証のためだけに一時的にＬＡＮ２に接続される機器（仮設機器：性能検証終了後にＬＡＮ２から切り離される機器）からのデータを必要とする場合もある。
【０００６】
図７に仮設機器を加えて性能検証を行う場合のシステム構成を示す。同図に示す４Ｂが仮設機器である。この場合、常設機器４Ａと仮設機器４Ｂとはシステム上では何ら区別せず、後から設置される仮設機器４Ｂも常設機器４Ａと同様にして、中央監視装置３にそのアドレス（物理アドレスや論理アドレス）を含む機器情報を登録する。
【０００７】
中央監視装置３は、検査員から指定される性能検証の項目（確認項目）に応じ、ＬＡＮ２に接続されている所要の常設機器４Ａからのデータと仮設機器４Ｂからのデータとを取り込む。そして、この常設機器４Ａおよび仮設機器４Ｂからのデータを取り込んでの性能検証が終了すれば、検査員は、登録した仮設機器４Ｂの機器情報を中央監視装置３の記憶中から削除し、ＬＡＮ２から仮設機器４Ｂを切り離す。
【０００８】
なお、上述した従来技術は、出願人が出願時点で知る限りにおいて文献公知ではない。また、出願人は出願時までに本発明に関連する先行技術文献を発見することはできなかった。よって、先行技術文献情報を開示していない。
【発明の開示】
【発明が解決しようとする課題】
【０００９】
しかしながら、上述した従来の設備管理システムでは、性能検証が終了して仮設機器４ＢをＬＡＮ２に接続しておく必要がなくなった場合に、中央監視装置３に登録した機器情報を削除せずに仮設機器４ＢをＬＡＮ２から切り離すと、中央監視装置３から警報が発せられてしまう。すなわち、中央監視装置３は、常設機器４Ａと仮設機器４Ｂとをシステム上では何ら区別しないため、機器情報が残っているまま仮設機器４ＢがＬＡＮ２から切り離されると、常設機器４ＡがＬＡＮ２から切り離された場合と同様にして、警報を発してしまう。
【００１０】
本発明は、このような課題を解決するためになされたもので、その目的とするところは、仮設機器の切り離し時に警報が発せられてしまうことがない設備管理システムを提供することにある。
【課題を解決するための手段】
【００１１】
このような目的を達成するために、第１発明（請求項１に係る発明）は、ネットワークを介して設備を管理する設備管理システムにおいて、ネットワークに接続される機器のアドレスと各機器が常時接続される常設機器および一時的に接続される仮設機器の何れであるかを示す属性情報とを含む機器情報が書き込まれた機器情報ファイルと、機器情報ファイルに書き込まれている機器情報に基づいて、仮設機器を除く機器のネットワークからの切り離しを監視する監視手段とを設けたものである。
この発明によれば、仮設機器を除く機器すなわち常設機器についてのみネットワークからの切り離しが監視され、仮設機器については監視されない。したがって、常設機器がネットワークから切り離されれば、その切り離しを確認して警報を発することができるが、仮設機器がネットワークから切り離されても、その切り離しを確認することができず、警報を発することはできない。
【００１２】
第２発明（請求項２に係る発明）は、ネットワークを介して設備を管理する設備管理システムにおいて、ネットワークに接続される機器のアドレスと各機器が常時接続される常設機器および一時的に接続される仮設機器の何れであるかを示す属性情報とを含む機器情報が書き込まれた機器情報ファイルと、機器のネットワークからの切り離しを監視する監視手段と、機器情報ファイルに書き込まれている機器情報と監視手段による監視結果とに基づき、仮設機器を除く機器がネットワークから切り離された場合に警報を発する警報手段とを設けたものである。
この発明によれば、常設機器、仮設機器ともにネットワークからの切り離しが監視されるが、仮設機器を除く機器すなわち常設機器がネットワークから切り離されたときだけ警報が発せられる。したがって、仮設機器がネットワークから切り離されても、警報は発せられない。
【００１３】
第３発明（請求項３に係る発明）は、第２発明において、監視手段による監視結果に基づき、仮設機器がネットワークから切り離された場合、その仮設機器の機器情報を機器情報ファイルから削除する手段を設けたものである。
この発明によれば、仮設機器がネットワークから切り離されると、自動的にその仮設機器の機器情報が機器情報ファイルから削除される。
【００１４】
第４発明（請求項３に係る発明）は、第１〜第３発明の何れかにおいて、機器情報ファイルに書き込まれている機器情報の属性情報を変更可能とする手段を設けたものである。
この発明によれば、機器情報ファイルに書き込まれている属性情報を「仮設」から「常設」に変更すると、それまで仮設機器とされていた機器が常設機器に変更される。
【００１５】
第５発明（請求項５に係る発明）は、第１〜第４発明の何れかにおいて、機器情報ファイルにその機器情報が書き込まれている機器を属性情報に基づいて視覚的に区別可能に表示する手段を設けたものである。この発明によれば、例えば仮設機器を網掛けで表示するなどして、機器情報ファイルに登録されている常設機器と仮設機器とを視覚的に区別して検査員に認識させることができる。
【００１６】
第６発明（請求項６に係る発明）は、第１〜第５発明の何れかにおいて、ネットワークに仮設機器が接続された場合、この仮設機器からそのアドレスおよび属性情報を含む機器情報を読み取り、機器情報ファイルに書き込む手段を設けたものである。この発明によれば、ネットワークに仮設機器が接続されると、この仮設機器からそのアドレスおよび属性情報を含む機器情報が読み取られ、機器情報ファイルに自動的に書き込まれる。
【発明の効果】
【００１７】
第１発明によれば、常設機器についてのみネットワークからの切り離しが監視され、仮設機器についてはネットワークからの切り離しが監視されないので、仮設機器がネットワークから切り離されても、その切り離しを確認することができず、仮設機器の切り離し時に警報が発せられてしまうことがなくなる。
第２発明によれば、常設機器、仮設機器ともにネットワークからの切り離しが監視されるが、常設機器がネットワークから切り離されたときだけ警報が発せられるので、仮設機器の切り離し時に警報が発せられてしまうことがない。
【００１８】
第３発明によれば、仮設機器がネットワークから切り離されると、自動的にその仮設機器の機器情報が機器情報ファイルから削除されるので、ネットワークから切り離した仮設機器の機器情報を手動で機器情報ファイルから削除する手間が不要となる。
第４発明によれば、機器情報ファイルに書き込まれている仮設機器の機器情報の属性情報を「仮設」から「常設」に変更すると、それまで仮設機器とされていた機器が常設機器に変更されるものとなり、以降、仮設機器を常設機器として使用することができるようになる。
【００１９】
第５発明によれば、機器情報ファイルに登録されている常設機器と仮設機器とを視覚的に区別して表示するようにしたので、常設機器と仮設機器の登録状態を検査員に一目で認識させることができるようになる。特に、この発明の第３発明への適用例では、仮設機器がネットワークから切り離されると、その仮設機器の機器情報が機器情報ファイルから自動的に削除されるので、視覚的に区別して表示される常設機器および仮設機器とネットワークに接続されている実際の常設機器および仮設機器とが一致する。
【００２０】
第６発明によれば、ネットワークに仮設機器が接続されると、この仮設機器からそのアドレスおよび属性情報を含む機器情報が読み取られ、機器情報ファイルに自動的に書き込まれるので、ネットワークに仮設機器を接続する際にその機器情報を手動で機器情報ファイルに書き込む必要がなくなり、煩わしい登録作業から解放される。
【発明を実施するための最良の形態】
【００２１】
以下、本発明を図面に基づいて詳細に説明する。図１はこの発明に係る設備管理システムの一実施の形態における中央監視装置の要部構成を示すブロック図である。この中央監視装置５は、図６に示した設備管理システムにおける中央監視装置３に本実施の形態特有の機能を追加したものであり、この中央監視装置５を使用した設備管理システムのシステム構成は従来のものと変わるところはない。以下では、図６を本実施の形態における設備管理システムの一例として流用し、図７をこの設備管理システムにおいて性能検証を行う場合の仮設機器の設置例として流用する。
【００２２】
図１において、５−１はＣＰＵ、５−２はＲＡＭ、５−３はＲＯＭ、５−４〜５−６はインターフェイス、５−７はディスプレイ、５−８はキーボード、５−９はマウス、５−１０は収集データ記憶用のメモリ、５−１１は機器情報ファイル記憶用のメモリ、５−１２はハードディスクなどの記憶装置である。ＣＰＵ５−１は、インターフェイス５−４〜５−６を介して与えられる各種入力情報を得て、ＲＡＭ５−２にアクセスしながら、ＲＯＭ５−３や記憶装置５−１２に格納されたプログラムに従って動作する。ＣＰＵ５−１での各種処理情報は、インターフェイス５−４〜５−６を介して出力される。
【００２３】
本実施の形態において、記憶装置５−１２には監視プログラムと性能検証プログラムが格納されており、ＣＰＵ５−１は、監視プログラムに従って設備の管理を行う一方、性能検証プログラムに従って検査員から指定される所要の性能検証を実行する。この監視プログラムや性能検証プログラムは、例えばＣＤ−ＲＯＭなどの記録媒体に記録された状態で提供され、この記録媒体から読み出されて記憶装置５−１２にインストールされている。
【００２４】
メモリ５−１０には、監視プログラムに従う設備の管理中、また性能検証プログラムに従う性能検証中、ＬＡＮ２を介して収集されるデータが蓄積されて行く。
メモリ５−１１には機器情報ファイルＦ１が格納されている。この機器情報ファイルＦ１にはＬＡＮ２に接続されている全ての常設機器４Ａの機器情報が書き込まれている。
【００２５】
図２に機器情報ファイルＦ１への機器情報の書き込み例を示す。この実施の形態では、常設機器４Ａ毎に、その常設機器４Ａが設置されている場所を示す物理アドレス、その常設機器４Ａに対して固有に定められた論理アドレス、その常設機器４Ａの属性情報を含む機器ＩＤ（常設／仮設の区別を示す情報：常設（１．＊））、その常設機器４Ａのデータ情報（データの種別）、その常設機器４Ａのデータが使用される確認項目（性能検証項目）が機器情報として書き込まれている。
【００２６】
なお、この機器情報ファイルＦ１には機器情報として、運用中、機器毎に、ＬＡＮ２への接続／未接続の現在状態を示すステータス情報（「１」：接続、「０」：未接続）および異常通報中であるか否かの現在状態を示すステータス情報（「有」：異常、「無」：正常）が付加される。
【００２７】
〔設備の管理〕
図６において、コントローラ１−１〜１−ｍは、常設機器４Ａからのデータを所定周期で取り込み、最新のデータを例えば４８時間分蓄える。中央監視装置５は、コントローラ１−１〜１−ｍが蓄えている４８時間分のデータ（４８時間データ）のうち最新の２４時間分のデータ（２４時間データ）を毎日定時にまとめて取り込む。この取り込んだデータはメモリ５−１０に格納される。ＣＰＵ５−１は、メモリ５−１０に格納された常設機器４Ａからのデータに基づき、設備の状態を管理する。
【００２８】
〔性能の検証〕
この設備管理システムの仕組みを利用して性能検証を実施する。性能検証を実施する上で、既にＬＡＮ２に接続されている常設機器４Ａからのデータだけで性能検証を行うことができる場合もあれば、常設機器４Ａだけでは足りず、仮設機器からのデータを必要とする場合もある。仮設機器とは、前述したように、その性能検証のためだけに一時的にＬＡＮ２に接続され、性能検証終了後にＬＡＮ２から切り離される機器である。
【００２９】
性能検証の実施に際し、仮設機器からのデータを必要とする場合、図７に示されるように仮設機器４ＢをＬＡＮ２に接続する。この際、検査員は、ＬＡＮ２に接続する仮設機器４Ｂの機器情報を中央監視装置５のメモリ５−１１に格納されている機器情報ファイルＦ１に書き込む。すなわち、仮設機器４Ｂ毎に、その仮設機器４Ｂが設置される場所を示す物理アドレス、その仮設機器４Ｂに対して固有に定められる論理アドレス、その仮設機器４Ａの属性情報を含む機器ＩＤ（常設／仮設の区別を示す情報：仮設（２．＊））、その仮設機器４Ｂのデータ情報（データの種別）、その仮設機器４Ｂのデータが使用される確認項目（性能検証項目）を機器情報として書き込む。
【００３０】
図３に仮設機器４Ｂの機器情報が書き込まれた機器情報ファイルＦ１のデータの一例を示す。図３に網掛けで示したＳ１，Ｓ２がＬＡＮ２に追加接続した仮設機器４Ｂに対する機器情報である。この機器情報ファイルＦ１において、その機器情報が仮設機器４Ｂに対するものであるのか、常設機器４Ａに対するものであるのかは、機器ＩＤによって判断できる。
【００３１】
中央監視装置３は、検査員から指定される性能検証の項目（確認項目）に応じ、ＬＡＮ２に接続されている所要の常設機器４Ａからのデータと仮設機器４Ｂからのデータとを取り込む。なお、この性能検証に際して使用するデータは、機器情報ファイルＦ１に書き込まれている確認項目の内容から分かる。
【００３２】
〔常設機器、仮設機器の監視〕
上述した設備の管理中や性能の検証中、ＣＰＵ５−１は、機器情報ファイルＦ１に書き込まれている機器情報に基づいて、ＬＡＮ２に接続されている全ての常設機器４Ａおよび仮設機器４Ｂに対して定期的にアクセスし、常設機器４Ａや仮設機器４ＢのＬＡＮ２からの切り離しを監視する。このとき、機器情報ファイルＦ１中の機器ＩＤを参照することにより、アクセスした機器が常設機器および仮設機器の何れであるのかを判別することができる。
【００３３】
〔常設機器〕
常設機器４ＡがＬＡＮ２に接続されていれば、ＣＰＵ５−１は、その常設機器４Ａの機器情報ファイルＦ１における接続／未接続の現在状態を示すステータス情報を「１」とするとともに、異常通報中であるか否かの現在状態を示すステータス情報を「無」とする。
【００３４】
常設機器４ＡがＬＡＮ２に接続されていなければ、すなわち常設機器４ＡがＬＡＮ２から切り離されれば、ＣＰＵ５−１は、その常設機器４Ａの機器情報ファイルＦ１における接続／未接続の現在状態を示すステータス情報を「０」とするとともに、異常通報中であるか否かの現在状態を示すステータス情報を「有」とし、警報を発する。
【００３５】
〔仮設機器〕
仮設機器４ＢがＬＡＮ２に接続されていれば、ＣＰＵ５−１は、その仮設機器４Ｂの機器情報ファイルＦ１における接続／未接続の現在状態を示すステータス情報を「１」とする。また、ＣＰＵ５−１は、異常通報中であるか否かの現在状態を示すステータス情報を「無」ではなく、「−（無効）」とする。
【００３６】
仮設機器４ＢがＬＡＮ２に接続されていなければ、すなわち仮設機器４ＢがＬＡＮ２から切り離されれば、ＣＰＵ５−１は、その仮設機器４Ｂの機器情報ファイルＦ１における接続／未接続の現在状態を示すステータス情報を「０」とする。また、ＣＰＵ５−１は、異常通報中であるか否かの現在状態を示すステータス情報を「−（無効）」のままとし、警報を発しない。
【００３７】
〔性能検証後の仮設機器の切り離し〕
常設機器４Ａおよび仮設機器４Ｂからのデータを取り込んでの性能検証が終了すれば、検査員は、ＬＡＮ２から仮設機器４Ｂを切り離す。ここで、ＬＡＮ２から仮設機器４Ｂを切り離す場合、その仮設機器４Ｂの機器情報を機器情報ファイルＦ１から先に削除する場合と、後で削除する場合の２通りがある。従来は、後で機器情報を削除すると警報が発してしまうため、先に機器情報を削除するしかなかった。すなわち、機器情報の削除を忘れて仮設機器４ＢをＬＡＮ２から切り離すと、警報が発せられてしまっていた。
【００３８】
これに対し、本実施の形態では、機器情報を削除せずに仮設機器４ＢをＬＡＮ２から切り離しても、警報が発せられることはない。すなわち、仮設機器４ＢがＬＡＮ２から切り離されると、この切り離された状態が中央監視装置５のＣＰＵ５−１によって確認される。ＣＰＵ５−１は、仮設機器４ＢがＬＡＮ２から切り離されたことを確認すると、その仮設機器４Ｂの機器情報ファイルＦ１における接続／未接続の現在状態を示すステータス情報を「０」とするが、異常通報中であるか否かの現在状態を示すステータス情報は「−（無効）」のままとし、警報を発しない。これにより、仮設機器４Ｂを警報を伴うことなくＬＡＮ２から切り離した後に、その仮設機器４Ｂの機器情報を機器情報ファイルＦ１から削除することが可能となる。なお、場合によっては、仮設機器４Ｂの機器情報は、機器情報ファイルＦ１から削除せずに、そのまま残しておいてもよい。
【００３９】
〔画面上での常設機器と仮設機器の区別〕
この実施の形態において、機器情報ファイルＦ１にその機器情報が書き込まれている常設機器４Ａや仮設機器４Ｂは、システム上での位置関係も含めて、中央監視装置５のディスプレイ５−７上に視覚的に区別可能に表示される。図４にその表示例を示す。この例では、画面Ｇ１のサブ画面Ｇ１Ａに、ビルの１階〜Ｎ階を示すフォルダＦＡがツリービュー形式で表される。このサブ画面Ｇ１Ａにおいて、例えばビルの５階を示すフォルダＦＡ5 をクリックすると、５階に設けられているコントローラを示すフォルダＦＢが表示される。
【００４０】
ここで、例えばフォルダＦＢ2 をクリックすると、サブ画面Ｇ１Ｂにそのコントローラの下位に位置する機器のリストＬＳＴが表示される。このとき、ＣＰＵ５−１は、機器情報ファイルＦ１を参照し、そこに記録された機器ＩＤに基づいて、リストＬＳＴに表示する機器が常設機器および仮設機器の何れであるかを判別し、リストＬＳＴ中において仮設機器を網掛けする等、他の常設機器と区別して表示する。この例では、温度センサＢが仮設機器、温度センサＡ，湿度センサＢ，電力計Ａが常設機器であり、リストＬＳＴ中の網掛けによって、温度センサＢが仮設機器であることを一目で知ることができる。但し、この実施の形態では、仮設機器４ＢをＬＡＮ２から切り離しても、その機器情報が機器情報ファイルＦ１に残されるので、この機器情報が機器情報ファイルＦ１から削除されるまで、その仮設機器４ＢのリストＬＳＴ中の表示状況はそのままとされる。
【００４１】
なお、上述した実施の形態では、仮設機器４ＢをＬＡＮ２から切り離した後に、その機器情報を機器情報ファイルＦ１から手動で削除するものとして説明したが、仮設機器４ＢがＬＡＮ２から切り離された場合に、その仮設機器４Ｂの機器情報が機器情報ファイルＦ１から自動的に削除されるようにしてもよい。このようにすることによって、ＬＡＮ２から切り離した仮設機器４Ｂの機器情報を手動で機器情報ファイルＦ１から削除する手間が不要となり、性能検証後の検査員の労力が軽減される。また、仮設機器４ＢがＬＡＮ２から切り離されると、その仮設機器４Ｂの機器情報が機器情報ファイルＦ１から自動的に削除されるので、図４に示したリストＬＳＴ中に区別して表示される常設機器および仮設機器と、ＬＡＮ２に接続されている実際の常設機器および仮設機器とが一致する。
【００４２】
また、この実施の形態において、機器情報ファイルＦ１に書き込まれている仮設機器４Ｂの機器ＩＤを変更すれば、すなわち常設／仮設の区別を「仮設（２）」から「常設（１）」に変更すれば、それまで仮設機器とされていた機器を常設機器に変更することができ、以降、仮設機器を常設機器として使用することができるようになる。
【００４３】
また、上述した実施の形態では、仮設機器４ＢをＬＡＮ２に接続する際、その仮設機器４Ｂの機器情報を機器情報ファイルＦ１に手動で書き込むようにしたが、仮設機器４Ｂにその機器情報を予め設定しておき、仮設機器４ＢがＬＡＮ２に接続された場合に、その仮設機器４Ｂから機器情報を読み取り、機器情報ファイルＦ１に自動的に書き込むようにしてもよい。
【００４４】
この場合、仮設機器４Ｂへの機器情報の設定は、例えば図５（ａ）に示すように、パーソナルコンピュータ（パソコン）６から通信で行うようにしてもよいし、図５（ｂ）に示すように仮設機器４Ｂの操作部４Ｂ１と表示部４Ｂ２とを利用して行うようにしてもよいし、図５（ｃ）に示すように、仮設機器４ＢのディップスイッチＤＳ１やＤＳ２を用いて行うようにしてもよい。
【００４５】
また、常設機器４Ａについても、仮設機器４Ｂと同様にして、常設機器４ＡをＬＡＮ２に接続した場合に、常設機器４Ａから機器情報を読み取り、読み取った機器情報を機器情報ファイルＦ１に自動的に書き込むようにしてもよい。
【００４６】
また、上述した実施の形態では、機器ＩＤによって常設／仮設の区別を行うようにしたが、例えばアドレス５１以降を仮設機器とするなど、アドレス（物理アドレスや論理アドレス）によって常設機器と仮設機器とを区別するなどとしてもよい。
また、上述した実施の形態では、ＬＡＮ２として有線を想定しているが、無線ネットワークでも同様にして適用することが可能である。
【００４７】
また、上述した実施の形態では、常設機器４Ａおよび仮設機器４ＢのそれぞれについてＬＡＮ２からの切り離しを監視するようにしたが、常設機器４Ａおよび仮設機器４Ｂのうち常設機器４Ａについてのみ、ＬＡＮ２からの切り離しを監視するようにしてもよい。この場合、常設機器４ＡがＬＡＮ２から切り離されれば、その切り離しを確認して警報が発せられるが、仮設機器４ＢがＬＡＮ２から切り離されても、その切り離しを確認することができず、警報が発せられることはない。
【図面の簡単な説明】
【００４８】
【図１】本発明に係る設備管理システムの一実施の形態における中央監視装置の要部構成を示すブロック図である。
【図２】機器情報ファイルへの機器情報の書き込み例を示す図である。
【図３】仮設機器の機器情報を書き込んだ機器情報ファイルの一例を示す図である。
【図４】常設機器および仮設機器のシステム上での位置関係を含んで区別した表示例を示す図である。
【図５】仮設機器への機器情報の各種の設定方法を説明する図である。
【図６】大規模設備に設けられる設備管理システムの概略を示す図である。
【図７】仮設機器を加えて性能検証を行う場合の設備管理システムの構成を示す図である。
【符号の説明】
【００４９】
１（１−１〜１−ｍ）…コントローラ、２…ＬＡＮ、４Ａ…常設機器、４Ｂ…仮設機器、５…中央監視装置、５−１…ＣＰＵ、５−２…ＲＡＭ、５−３…ＲＯＭ、５−４〜５−６…インターフェイス、５−７…ディスプレイ、５−８…キーボード、５−９…マウス、５−１０…収集データ記憶用のメモリ、５−１１…機器情報ファイル記憶用のメモリ、５−１２…記憶装置、Ｆ１…機器情報ファイル、Ｇ１…画面、Ｇ１Ａ，Ｇ１Ｂ…サブ画面、ＦＡ、ＦＢ…フォルダ、ＬＳＴ…リスト。
【図１】
2005284821.tif 000003
【図２】
2005284821.tif 000004
【図３】
2005284821.tif 000005
【図４】
2005284821.tif 000006
【図５】
2005284821.tif 000007
【図６】
2005284821.tif 000008
【図７】
2005284821.tif 000009